(57)【要約】【課題】  分析装置で測定された分析データに基づく三次元情報を、全方向から閲覧可能な三次元グラフとして作成することができ、これにより、汎用の閲覧ソフトウェアを用いて三次元グラフを閲覧させることができる３Ｄグラフ作成装置を提供する。【解決手段】  分析装置で測定された分析データを取得する分析データ取得部１１と、プログラムインターフェイスを用いて、分析データから三次元情報を作成する３Ｄ情報作成部１２と、  三次元情報を、全方向から閲覧可能な三次元グラフに変換する３Ｄグラフ変換部１３とを備えることを特徴とする。【選択図】図１
2008180595.tif 000002
【特許請求の範囲】
【請求項１】
分析装置で測定された分析データを取得する分析データ取得部と、
プログラムインターフェイスを用いて、前記分析データから三次元情報を作成する３Ｄ情報作成部と、
前記三次元情報を、全方向から閲覧可能な三次元グラフに変換する３Ｄグラフ変換部とを備えることを特徴とする３Ｄグラフ作成装置。
【請求項２】
前記分析装置は、クロマトグラム装置であることを特徴とする請求項１に記載の３Ｄグラフ作成装置。
【請求項３】
前記三次元グラフは、汎用の閲覧ソフトウェアを用いて全方向から閲覧可能なものであることを特徴とする請求項１又は２に記載の３Ｄグラフ作成装置。
【発明の詳細な説明】
【技術分野】
【０００１】
本発明は、パーソナルコンピュータ等のコンピュータを利用した３Ｄグラフ作成装置に関し、特に、分析装置で測定された分析データに基づく三次元情報から、全方向から閲覧可能な三次元グラフを作成するレポート作成機能を備える３Ｄグラフ作成装置に関する。
【背景技術】
【０００２】
近年、クロマトグラフ装置や分光光度計等の分析装置のデータ処理装置としては、汎用のコンピュータが用いられるのが一般的である。このようなデータ処理装置では、ソフトウェアの１つとして、レポート作成機能を有するプログラムが搭載されており、取得した分析データに基づいたグラフを含む多様な情報を、定型又は自由な形式でレイアウトした電子文書形式のレポートを作成することができるようになっている（例えば、特許文献１参照）。このとき、作成されたレポートを、特殊な閲覧ソフトウェアを用いないで、汎用の閲覧ソフトウェアを用いて誰でも閲覧することを可能とし、かつ、レポートの情報の改ざんを防止するために、例えば、アドビ・システムズ（Adobe Systems)社が開発したＰＤＦ（Portable  Document Format）形式で作成される。
【０００３】
ここで、クロマトグラフ装置で測定された分析データとして、吸光度、波長及び時間のデータを取得したとき、ＰＤＦ形式でレポートを作成する場合には、全方向から閲覧可能な三次元グラフをレポートに挿入することができないため、図５に示すような任意の一方向から見た二次元図面（斜視図）を挿入していた。また、図５に示すような二次元図面（斜視図）の代わりに、図６に示すように、波長と時間との二次元グラフを作成するとともに、二次元グラフ上で吸光度の強度を６等分した等高線を表示する二次元図面を挿入していた。
【０００４】
一方、最近、アドビ・システムズ社が、ＣＡＤ（Computer Aided Design）形式の三次元図面を、汎用の閲覧ソフトウェアである「Ａｄｏｂｅ  Ｒｅａｄｅｒ」（登録商標、アドビ・システムズ社製）を用いて閲覧することができるように、ＰＤＦ形式の三次元図面へと変換する機能を備える「Ａｄｏｂｅ  Ａｃｒｏｂａｔ  ３Ｄ」を開発した。その結果、ＰＤＦ形式のレポートでも三次元図面を閲覧することができ、設計デザイン等を詳細に把握することができるようになった。
【特許文献１】特開昭６０−１４３７６５号公報
【発明の開示】
【発明が解決しようとする課題】
【０００５】
しかしながら、クロマトグラフ装置で測定された分析データは「Ａｄｏｂｅ  Ａｃｒｏｂａｔ  ３Ｄ」でサポートされていないため、分析データをＰＤＦ形式のレポートに挿入することができなかった。
そこで、本発明は、分析装置で測定された分析データに基づく三次元情報を、全方向から閲覧可能な三次元グラフとして作成することができ、これにより、汎用の閲覧ソフトウェアを用いて三次元グラフを閲覧させることができる３Ｄグラフ作成装置を提供することを目的とする。
【課題を解決するための手段】
【０００６】
上記課題を解決するためになされた本発明の３Ｄグラフ作成装置は、分析装置で測定された分析データを取得する分析データ取得部と、プログラムインターフェイスを用いて、前記分析データから三次元情報を作成する３Ｄ情報作成部と、前記三次元情報を、全方向から閲覧可能な三次元グラフに変換する３Ｄグラフ変換部とを備えるようにしている。
【発明の効果】
【０００７】
本発明の３Ｄグラフ作成装置によれば、例えば、クロマトグラフ装置で測定された分析データから、まず、オペレーティングシステムを特定しない、３Ｄグラフィックスのためのプログラムインターフェイス（例えば、「ＯｐｅｎＧＬ」（登録商標、Silicon Graphics社製））を用いて、三次元情報を作成する。次に、プログラムインターフェイスで作成した三次元情報を、「Ａｄｏｂｅ  Ａｃｒｏｂａｔ  ３Ｄ」を用いて、ＰＤＦ形式の三次元グラフへ変換する。これにより、三次元グラフを挿入したＰＤＦ形式のレポートを送信すれば、特殊な閲覧ソフトウェアを用いず、汎用の閲覧ソフトウェアである「Ａｄｏｂｅ  Ｒｅａｄｅｒ」を用いて、三次元グラフを全方向から閲覧させることができ、三次元グラフを詳細に把握させることができる。
なお、特殊な閲覧ソフトウェアとは、例えば、「LCsolutions」（商品名、株式会社島津製作所製）等のことをいう。
【０００８】
（その他の課題を解決するための手段および効果）
また、本発明の３Ｄグラフ作成装置においては、前記分析装置は、クロマトグラム装置であるようにしてもよい。
さらに、本発明の３Ｄグラフ作成装置においては、前記三次元グラフは、汎用の閲覧ソフトウェアを用いて全方向から閲覧可能なものであるようにしてもよい。
【発明を実施するための最良の形態】
【０００９】
以下、本発明の実施形態について図面を用いて説明する。なお、本発明は、以下の実施形態に限定されるものではなく、本発明の趣旨を逸脱しない範囲で種々の態様が含まれることはいうまでもない。
【００１０】
図１は、本発明の一実施形態である３Ｄグラフ作成装置と、クロマトグラフ装置と、閲覧コンピュータとの構成を示すブロック図である。
クロマトグラフ装置３０は、分析データとして、試料の吸光度、波長及び時間のデータを測定するものである。そして、クロマトグラフ装置３０は、データの受け渡しができるように、３Ｄグラフ作成装置１０とネットワーク回線を介して接続されている。
【００１１】
３Ｄグラフ作成装置１０は、キーボード、タッチパネル、マウス、スタイラスペン等の入力装置１と、ＣＲＴ（Ｃａｔｈｏｄｅ Ｒａｙ Ｔｕｂｅ）、ＬＣＤ（Ｌｉｑｕｉｄ ＣｒｙｓｔａｌＤｅｖｉｃｅ）、プラズマディスプレイ等の表示装置２と、入力装置１から入力される各種命令に応じて処理を実行する制御部４と、制御部４で作成されたデータ等を記憶する記憶部５とにより構成される。
【００１２】
制御部４は、クロマトグラフ装置３０で測定された分析データを取得する分析データ取得部１１と、分析データから三次元情報を作成する３Ｄ情報作成部１２と、三次元情報を三次元グラフに変換する３Ｄグラフ変換部１３と、閲覧コンピュータ４０等にデータを送信する送信部１４とを有する。
また、記憶部５は、分析データ記憶部２１と、３Ｄグラフ記憶部２２とを有する。分析データ記憶部２１では、例えば、クロマトグラフ装置３０で測定された分析データとして、吸光度、波長及び時間のデータが記憶される。また、３Ｄグラフ記憶部２２では、３Ｄグラフ変換部１３で変換された三次元グラフが記憶される。
【００１３】
分析データ取得部１１は、クロマトグラフ装置３０で測定された分析データを、分析データ記憶部２１に記憶させる制御を行うものである。つまり、クロマトグラフ装置３０で測定された吸光度、波長及び時間のデータを取得することになる。
３Ｄ情報作成部１２は、分析データ記憶部２１に記憶された分析データから三次元情報を作成する制御を行うものである。例えば、「ＯｐｅｎＧＬ」を用いて、吸光度、波長及び時間のデータから三次元情報（３Ｄグラフィックス）を作成するものである。
【００１４】
３Ｄグラフ変換部１３は、三次元情報を、「Ａｄｏｂｅ  Ｒｅａｄｅｒ」を用いて全方向から閲覧可能な三次元グラフに変換するとともに、三次元グラフを３Ｄグラフ記憶部２２に記憶させる制御を行うものである。つまり、「ＯｐｅｎＧＬ」で作成した三次元情報を、「Ａｄｏｂｅ  Ａｃｒｏｂａｔ  ３Ｄ」を用いて、ＰＤＦ形式の三次元グラフへと変換して記憶させることになる。このとき、「ＯｐｅｎＧＬ」は、オペレーティングシステムを特定しない、３Ｄグラフィックスのためのプログラムインターフェイスであるので、「Ａｄｏｂｅ  Ａｃｒｏｂａｔ  ３Ｄ」を用いて、「ＯｐｅｎＧＬ」で作成した三次元情報を、ＰＤＦ形式の三次元グラフへと変換することができる。
送信部１４は、３Ｄグラフ記憶部２２に記憶された三次元グラフを、閲覧コンピュータ４０に送信する制御を行うものである。なお、３Ｄグラフ作成装置１０は、データの受け渡しができるように、閲覧コンピュータ４０とネットワーク回線を介して接続されている。
【００１５】
これにより、閲覧コンピュータ４０において、三次元グラフを受信したときには、「Ａｄｏｂｅ  Ｒｅａｄｅｒ」を用いて三次元グラフを全方向から閲覧することができるようになる。なお、図２は、閲覧コンピュータ４０において、「Ａｄｏｂｅ  Ｒｅａｄｅｒ」を用いて表示装置に画像表示させたＰＤＦ形式の三次元グラフの一例を示す図である。図２（ａ）は、任意の一方向から見た三次元グラフであり、図２（ｂ）は、図２（ａ）に示す三次元グラフを異なる一方向から見たものである。
【００１６】
次に、３Ｄグラフ作成装置１０により、クロマトグラフ装置３０で測定された分析データから、三次元グラフを作成する３Ｄグラフ作成方法について説明する。図３は、３Ｄグラフ作成装置１０による３Ｄグラフ作成方法の一例について説明するためのフローチャートである。
まず、ステップＳ１０１の処理において、分析データ取得部１１は、入力装置１から入力される命令に基づいて、ネットワーク回線を介して接続されているクロマトグラフ装置３０から吸光度、波長及び時間のデータを分析データ記憶部２１に記憶させる。
【００１７】
次に、ステップＳ１０２の処理において、３Ｄ情報作成部１２は、「ＯｐｅｎＧＬ」を用いて、入力装置１から入力される命令に基づいて、吸光度、波長及び時間のデータから三次元情報を作成する。
次に、ステップＳ１０３の処理において、３Ｄグラフ変換部１３は、「Ａｄｏｂｅ  Ａｃｒｏｂａｔ  ３Ｄ」を用いて、入力装置１から入力される命令に基づいて、作成した三次元情報を、ＰＤＦ形式の三次元グラフに変換する。
【００１８】
次に、ステップＳ１０４の処理において、３Ｄグラフ変換部１３は、入力装置１から入力される命令に基づいて、ＰＤＦ形式の三次元グラフを３Ｄグラフ記憶部２２に記憶させる。
そして、ステップＳ１０４の処理が終了したときには、本フローチャートを終了させることになる。
【００１９】
次に、閲覧コンピュータ４０において、３Ｄグラフ作成装置１０で作成された三次元グラフを閲覧する３Ｄグラフ閲覧方法について説明する。図４は、閲覧コンピュータ４０による３Ｄグラフ閲覧方法の一例について説明するためのフローチャートである。
まず、ステップＳ２０１の処理において、３Ｄグラフ作成装置１０よりＰＤＦ形式の三次元グラフを取得する。
【００２０】
次に、ステップＳ２０２の処理において、「Ａｄｏｂｅ  Ｒｅａｄｅｒ」を用いて、入力装置から入力される命令に基づいて、表示装置に画像表示させる。
次に、ステップＳ２０３の処理において、「Ａｄｏｂｅ  Ｒｅａｄｅｒ」を用いて、入力装置から入力される命令に基づいて、三次元グラフを閲覧する。例えば、図２（ａ）に示すような、任意の一方向から見た三次元グラフを、図２（ｂ）に示すような、異なる一方向から見た三次元グラフとするように、三次元グラフを様々な方向から閲覧する。
そして、ステップＳ２０３の処理が終了したときには、本フローチャートを終了させることになる。
【００２１】
（他の実施形態）
（１）上述した３Ｄグラフ作成装置１０において、クロマトグラフ装置３０で測定された分析データから三次元グラフを作成する構成としたが、クロマトグラフ装置以外の分析装置や複数の分析装置で測定された分析データから三次元グラフを作成するような構成としてもよい。
（２）上述した３Ｄグラフ作成装置１０において、分析データ取得部１１は、クロマトグラフ装置３０で測定された分析データを、ネットワーク回線を介して分析データ記憶部２１に記憶させる構成としたが、例えば、ＦＤ、磁気ディスク、ＭＯ等に記憶された分析データを取得するような構成としてもよい。
（３）上述した３Ｄグラフ作成装置１０において、送信部１４は、三次元グラフを、ネットワーク回線を介して閲覧コンピュータ４０に送信する構成としたが、三次元データを記憶させたＦＤ、磁気ディスク、ＭＯ等で閲覧コンピュータ４０に送信するような構成としてもよい。
【産業上の利用可能性】
【００２２】
本発明は、分析装置で測定された分析データに基づく三次元情報から、全方向から閲覧可能な三次元グラフを作成するための３Ｄグラフ作成装置に利用することができる。
【図面の簡単な説明】
【００２３】
【図１】本発明の一実施形態である３Ｄグラフ作成装置と、クロマトグラフ装置と、閲覧コンピュータとの構成を示すブロック図である。
【図２】閲覧コンピュータにおいて、表示装置に画像表示させたＰＤＦ形式の三次元グラフの一例を示す図である。
【図３】３Ｄグラフ作成装置による３Ｄグラフ作成方法の一例について説明するためのフローチャートである。
【図４】閲覧コンピュータによる３Ｄグラフ閲覧方法の一例について説明するためのフローチャートである。
【図５】「Ａｄｏｂｅ  Ｒｅａｄｅｒ」を用いて表示装置に画像表示させたＰＤＦ形式の二次元図面である。
【図６】「Ａｄｏｂｅ  Ｒｅａｄｅｒ」を用いて表示装置に画像表示させた他のＰＤＦ形式の二次元図面である。
【符号の説明】
【００２４】
１１：  分析データ取得部
１２：  ３Ｄ情報作成部
１３：  ３Ｄグラフ変換部
【図１】
2008180595.tif 000003
【図２】
2008180595.tif 000004
【図３】
2008180595.tif 000005
【図４】
2008180595.tif 000006
【図５】
2008180595.tif 000007
【図６】
2008180595.tif 000008